(57)【特許請求の範囲】
【請求項１】
系統電源と、
前記系統電源に主電線を介して電気的に接続されている外部負荷と、
電力を供給する電力供給装置を備え、前記電力供給装置からの電力を、前記系統電源と連系している連系状態で供給する連系電力供給と、前記系統電源と独立して供給する自立電力供給とのうちいずれかの方式で供給可能に構成されている１以上の分散型電源と、
前記外部負荷および前記１以上の分散型電源と互いに通信可能に接続され、前記外部負荷および前記１以上の分散型電源のエネルギーを統括して管理するエネルギー管理制御装置と、
前記主電線に設けられ、制御入力がない通常の場合、前記分散型電源と前記外部負荷とを直接接続する第一接続状態に切り替えられ、前記制御入力がある場合、前記系統電源と前記外部負荷とを接続する第二接続状態に切り替えられる切替装置であって、前記系統電源が異常である場合、前記制御入力はなく、前記系統電源が正常である場合、前記制御入力がある切替装置と、
を備えているエネルギー管理システムであって、
前記エネルギー管理制御装置は、前記エネルギー管理制御装置の電源電圧が前記系統電源のみから直接供給される構成となっており、前記系統電源からの電力が停止されている場合、前記エネルギー管理制御装置の動作が停止するとともに、前記系統電源からの電力が供給されている場合、前記分散型電源と互いに通信可能であるエネルギー管理システム。
【請求項２】
前記エネルギー管理制御装置は、前記系統電源の復電時に、前記分散型電源から前記系統電源の停電および復電に関する停電・復電情報を取得し、
取得した停電・復電情報を前記外部負荷に送信する請求項１記載のエネルギー管理システム。
【請求項３】
前記エネルギー管理制御装置は、前記系統電源の復電時に、前記分散型電源から前記系統電源の停電および復電に関する停電・復電情報を取得し、
取得した停電・復電情報をユーザに報知する請求項１記載のエネルギー管理システム。
【請求項４】
前記切替装置は、前記エネルギー管理制御装置からの切替指示によって形成された前記制御入力が入力される請求項１記載のエネルギー管理システム。
【発明の詳細な説明】
【技術分野】
【０００１】
本発明は、エネルギー管理システムに関する。
【背景技術】
【０００２】
エネルギー管理システムの一形式として、特許文献１に示されているものが知られている。エネルギー管理システムにおいては、特許文献１の図１，２に示すように、ホームサーバ５を住宅内に設置することによってホームエネルギーマネジメントシステム（以下、ＨＥＭＳ）が構築されている。ＨＥＭＳでは、上記のホームサーバ５が住宅内に設置された各種センサと宅内ネットワークを通じて通信することにより、住宅内の負荷状況に関するデータを収集することが可能である。このホームサーバ５は、住宅内の電力消費機器のみならず、上述した太陽光発電ユニットコントローラ１１、蓄電装置コントローラ２１及び燃料電池装置コントローラ３１の各々と宅内ネットワークを介して通信することが可能である。系統電源１からの電力供給が中断して停電になると、ホームサーバ５は、上記の停電検出センサ６から発信された停電信号を受信する。
【先行技術文献】
【特許文献】
【０００３】
【特許文献１】特開２０１４−００７８４２号公報
【発明の概要】
【発明が解決しようとする課題】
【０００４】
上述した特許文献１に記載のエネルギー管理システムにおいては、ホームサーバ５は停電時も動作する必要があり、その動作に必要な電力を補うため、ＨＥＭＳを構成する太陽光発電、燃料電池からの発電出力が使用される。その結果、停電時にホームサーバ５に必要な電力分だけ発電が必要となるため、その分コスト高やエネルギー効率の悪化を招くという問題があった。
【０００５】
そこで、本発明は、上述した問題を解消するためになされたもので、エネルギー管理システムにおいて、コスト高やエネルギー効率の悪化を招くことなく、停電に際して適切な運転を行うことを目的とする。
【課題を解決するための手段】
【０００６】
上記の課題を解決するため、請求項１に係るエネルギー管理システムは、系統電源と、系統電源に主電線を介して電気的に接続されている外部負荷と、電力を供給する電力供給装置を備え、電力供給装置からの電力を、系統電源と連系している連系状態で供給する連系電力供給と、系統電源と独立して供給する自立電力供給とのうちいずれかの方式で供給可能に構成されている１以上の分散型電源と、外部負荷および１以上の分散型電源と互いに通信可能に接続され、外部負荷および１以上の分散型電源のエネルギーを統括して管理するエネルギー管理制御装置と、主電線に設けられ、制御入力がない通常の場合、分散型電源と外部負荷とを直接接続する第一接続状態に切り替えられ、制御入力がある場合、系統電源と外部負荷とを接続する第二接続状態に切り替えられる切替装置であって、系統電源が異常である場合、制御入力はなく、系統電源が正常である場合、制御入力がある切替装置と、を備えているエネルギー管理システムであって、エネルギー管理制御装置は、エネルギー管理制御装置の電源電圧が系統電源のみから直接供給される構成となっており、系統電源からの電力が停止されている場合、エネルギー管理制御装置の動作が停止するとともに、系統電源からの電力が供給されている場合、分散型電源と互いに通信可能である。
【発明の効果】
【０００７】
これによれば、系統電源が異常（例えば停電）となった場合、系統電源からの電力が停止され、エネルギー管理制御装置の動作が停止する。よって、停電中においては、エネルギー管理制御装置の動作に必要な電力は不要となる。一方、系統電源が復電した場合、系統電源からの電力が供給されている場合、エネルギー管理制御装置の動作が回復し、分散型電源と互いに通信可能となる。したがって、エネルギー管理システムは、コスト高やエネルギー効率の悪化を招くことなく、停電に際して適切な運転を行うことができる。
さらに、停電に伴って分散型電源が自立電力供給している場合であっても、切替装置は、分散型電源からの自立発電電力を、外部負荷のみに供給し、系統電源側に供給することを確実に抑制することができる。ひいては、エネルギー管理システムは、エネルギー管理制御装置に自立発電電力を供給することを確実に抑制することができる。よって、エネルギー管理制御装置の動作の停止が確実に維持される。
【図面の簡単な説明】
【０００８】
【図１】本発明の一実施形態におけるエネルギー管理システムの概要図である。
【図２】図１に示すエネルギー管理システムの通常運転を説明するための図である。
【図３】図１に示すエネルギー管理システムの停電中の作動を説明するための図である。
【図４】図１に示すエネルギー管理システムの復電時の作動を説明するための図である。
【発明を実施するための形態】
【０００９】
以下、本発明によるエネルギー管理システムの一実施形態について図１に示すエネルギー管理システム概要図に基づいて説明する。エネルギー管理システム１０は、系統電源１１、外部負荷１２、主電線１３、エネルギー管理制御装置１４、分散型電源１５および切替装置１６を備えている。
【００１０】
系統電源１１は、外部負荷１２に主電線１３を介して電気的に接続されており、外部負荷１２に電力（交流電力）を供給している。外部負荷１２は、分散型電源１５とは別体に配設されている電力負荷であり、例えば家庭内に配設されているテレビなどの家電製品である。
【００１１】
エネルギー管理制御装置１４は、外部負荷１２および１以上の分散型電源１５と互いに通信可能に接続され、外部負荷１２および１以上の分散型電源１５のエネルギーを統括して管理する。エネルギー管理制御装置１４は、制御装置１４ａ、電力変換装置１４ｂおよび報知部１４ｄを備えている。制御装置１４ａは、外部負荷１２の制御装置（図示省略）および１以上の分散型電源１５の制御装置１５ｄと互いに通信可能に接続されている。制御装置１４ａは、切替装置１６と電気的に接続されている。
【００１２】
電力変換装置１４ｂは、第一接続用電線１４ｃを介して主電線１３の第一接続点１３ａに接続されている。電力変換装置１４ｂは、系統電源１１からの電力（交流電力）を制御装置１４ａの電源電圧（直流電圧）に変換して制御装置１４ａに供給する。このように、エネルギー管理制御装置１４は、エネルギー管理制御装置１４の電源電圧が系統電源１１のみから直接供給される構成となっている。よって、エネルギー管理制御装置１４は、系統電源１１からの電力が停止されている場合、エネルギー管理制御装置１４の動作が停止する。エネルギー管理制御装置１４は、系統電源１１からの電力が供給されている場合、エネルギー管理制御装置１４の動作が可能であるため、分散型電源１５と互いに通信可能である。
【００１３】
さらに、エネルギー管理制御装置１４は、系統電源１１の復電時に、分散型電源１５から系統電源１１の停電および復電に関する停電・復電情報を取得する。エネルギー管理制御装置１４は、系統電源１１の復電時に、取得した停電・復電情報を外部負荷１２に送信する。外部負荷１２は、取得した停電・復電情報に基づいて停止していた動作を開始するように制御するのが好ましい。
【００１４】
また、エネルギー管理制御装置１４は、系統電源１１の復電時に、取得した停電・復電情報を報知部１４ｄに報知させるように制御してもよい。この場合、停電・復電情報は、報知部１４ｄに報知されることにより、ユーザに報知される。報知部１４ｄは、表示装置、音声出力器などで構成されている。
【００１５】
分散型電源１５は、主電線１３の第二接続点１３ｂに接続されている。分散型電源１５は、第一接続点１３ａより下流側（外部負荷１２側）に接続されている。本実施形態のエネルギー管理システム１０は、１つの分散型電源を含んで構成されているが、エネルギー管理システム１０は、２つ以上の分散型電源を含んで構成されるようにしてもよい。また、エネルギー管理システム１０は、逆潮が禁止されている分散型電源を含んで構成されているものが好適である。逆潮が禁止されている分散型電源は、化石燃料を利用する発電装置、例えば、電力供給装置１５ａが燃料電池発電装置、ガスエンジン方式発電装置、ガスタービン方式発電装置などを有する分散型電源である。なお、逆潮が禁止されていない分散型電源は、自然環境の中で繰り返し起こる現象から作り出すエネルギーである再生可能なエネルギー（例えば太陽光、水力、風力など）を使用した分散型電源である。
【００１６】
分散型電源１５は、電力供給装置１５ａ、電力変換装置１５ｂ、分散型電源内切替装置１５ｃ、制御装置１５ｄ、第一接続用電線１５ｅ、連系電力用電線１５ｆおよび自立電力用電線１５ｇを備えている。
【００１７】
電力供給装置１５ａは、電力（直流電力、交流電力）を発生させ供給する装置（電力供給装置）である。電力供給装置は、例えば太陽光発電装置（蓄電池とセットである）、燃料電池発電装置、ガスエンジン方式発電装置、ガスタービン方式発電装置などがある。本実施形態では、電力供給装置１５ａは燃料電池発電装置である。なお、電力供給装置１５ａは、ガスエンジン方式発電装置、ガスタービン方式発電装置でもよく、太陽光発電装置（蓄電池とセットである）でもよい。
【００１８】
電力変換装置１５ｂは、電力供給装置１５ａから供給された電力を変換して主電線１３に出力する装置である。電力変換装置１５ｂは、電力供給装置１５ａから供給された直流電力を交流電力に変換したり、電力供給装置１５ａから供給された交流電力を昇圧・降圧したりする。
【００１９】
分散型電源内切替装置１５ｃは、第一端子１５ｃ１と第二端子１５ｃ２とを接続する第一接続状態（図１参照）と、第一端子１５ｃ１と第三端子１５ｃ３とを接続する第二接続状態（図３参照）とに制御装置１５ｄからの指示によって選択的に切り替えられる。分散型電源内切替装置１５ｃは、制御装置１５ｄからの連系指示により第一接続状態とされ（連系状態）、制御装置１５ｄからの解列指示により第二接続状態とされる（解列状態、自立状態）。
【００２０】
第一端子１５ｃ１は、第一接続用電線１５ｅの一端が接続される。第一接続用電線１５ｅの他端は、電力変換装置１５ｂに接続されている。第二端子１５ｃ２は、連系電力用電線１５ｆの一端が接続されている。連系電力用電線１５ｆの他端は、主電線１３に第二接続点１３ｂに接続されている。第三端子１５ｃ３は、自立電力用電線１５ｇの一端が接続されている。自立電力用電線１５ｇの他端は、切替装置１６の第三端子１６ｃに接続されている。
【００２１】
制御装置１５ｄは、電力供給装置１５ａ、電力変換装置１５ｂ、および分散型電源内切替装置１５ｃを統括して制御するものである。制御装置１５ｄは、エネルギー管理制御装置１４の制御装置１４ａとの間の通信状態に基づいて、系統電源１１からの電力供給の有無（電力供給の状態）を検出する。具体的には、制御装置１５ｄは、エネルギー管理制御装置１４の制御装置１４ａとの間の通信状態が異常である場合には、系統電源１１からの電力供給がないことを検出する。系統電源１１からの電力供給がない場合、エネルギー管理制御装置１４の動作が停止するからである。一方、制御装置１５ｄは、エネルギー管理制御装置１４の制御装置１４ａとの間の通信状態が正常である場合には、系統電源１１からの電力供給があることを検出する。系統電源１１からの電力供給がある場合、エネルギー管理制御装置１４の動作が可能であるからである。
【００２２】
分散型電源１５は、系統電源１１からの電力供給が異常である場合に自立発電が可能である。分散型電源１５は、系統電源１１からの電力供給が異常である場合（例えば停電）に、自身が有する電力供給装置１５ａを発電（自立発電）させてその電力を自立電力用電線１５ｇを介して外部負荷１２に供給する。このとき、分散型電源内切替装置１５ｃは、第一端子１５ｃ１と第三端子１５ｃ３とを接続する第二接続状態に切り替えられている。なお、自立発電は、系統電源１１からの電力供給がない状態で、自身のみ（分散型電源１５）が発電し電力供給を行うことである。
【００２３】
なお、分散型電源１５は、系統電源１１からの電力供給の有無（電力供給の状態）を検出する検出器１５ｈをさらに設けるようにしてもよい。検出器１５ｈは、検出結果を制御装置１５ｄに送信する。検出器１５ｈは、系統電源１１への潮流監視（逆潮流防止）すなわち系統電源１１に対する電力の入出力および電力量の検知を行っている。
【００２４】
切替装置１６は、主電線１３に設けられ、制御入力がない通常の場合、分散型電源１５と外部負荷１２とを直接接続する第一接続状態（自立発電状態：図３参照）に切り替えられ、制御入力がある場合、系統電源１１と外部負荷１２とを接続する第二接続状態（連系状態：図１参照）に切り替えられる切替装置である。切替装置１６は、系統電源１１が異常である場合、制御入力はなく、一方、系統電源１１が正常である場合、制御入力があるように構成されている。また、切替装置１６は、エネルギー管理制御装置１４からの切替指示によって形成された制御入力が入力される。すなわち、系統電源１１が正常である場合、エネルギー管理制御装置１４は動作が可能であるため、切替指示によって制御入力を形成し、切替装置１６に対して制御入力を入力する（制御入力がある）。一方、系統電源１１が異常である場合、エネルギー管理制御装置１４は動作が停止するため、制御入力が形成されず制御入力を入力できない（制御入力はない）。
【００２５】
切替装置１６は、第一端子１６ａと第三端子１６ｃとを接続する第一接続状態（図３参照）と、第一端子１６ａと第二端子１６ｂとを接続する第二接続状態（図１参照）とに選択的に切り替えられる。切替装置１６は、制御装置１４ａからの制御入力がない場合（通常である場合）に第一接続状態とされ、制御装置１４ａからの制御入力がある場合に第二接続状態とされる。
【００２６】
第一端子１６ａは、外部負荷１２側の主電線１３の一端が接続される。外部負荷１２側の主電線１３の他端は、外部負荷１２に接続されている。第二端子１６ｂは、系統電源１１側の主電線１３（連系電力用電線１５ｆの一端が接続されている）の他端が接続されている。系統電源１１側の主電線１３の一端は系統電源１１に接続されている。第三端子１６ｃは、自立電力用電線１５ｇの他端が接続されている。
【００２７】
次に、上述のように構成されたエネルギー管理システム１０の作動を図２〜図４を参照して説明する。最初に系統電源１１が正常である場合について図２を参照して説明する。系統電源１１が正常である場合、エネルギー管理システム１０は、通常運転が行われる。系統電源１１が正常である場合、系統電源１１からの供給電力は、図２の矢印Ａ１で示すように、主電線１３および第一接続用電線１４ｃを介してエネルギー管理制御装置１４に供給されている。エネルギー管理制御装置１４は、系統電源１１からの電力が供給されている場合、エネルギー管理制御装置１４の動作が可能であるため、切替指示によって制御入力を形成し、切替装置１６に対して制御入力を入力する。切替装置１６は、第一端子１６ａと第二端子１６ｂとを接続する第二接続状態に切り替えられている。よって、系統電源１１が正常である場合、系統電源１１からの供給電力は、図２の矢印Ａ２およびＡ３で示すように、主電線１３および切替装置１６を介して外部負荷１２に供給されている。
【００２８】
エネルギー管理制御装置１４は、系統電源１１からの電力が供給されており、エネルギー管理制御装置１４の動作が可能であるため、分散型電源１５（制御装置１５ｄ）と互いに通信可能である。すなわち、制御装置１５ｄは、エネルギー管理制御装置１４の制御装置１４ａとの間の通信状態が正常である場合（図２の矢印Ａ４で示す）には、系統電源１１からの電力供給があることを検出する。制御装置１５ｄは、分散型電源内切替装置１５ｃに対して連系指示を行う。分散型電源内切替装置１５ｃは、第一接続状態とされる（連系状態）。これにより、分散型電源１５は、系統電源１１と連系されるので、分散型電源１５からの供給電力は、図２の矢印Ａ５で示すように、連系電力用電線１５ｆおよび主電線１３を介して外部負荷１２に供給されている。外部負荷１２に対する電力供給は、分散型電源１５および系統電源１１の両方から供給可能である（連系電力供給）。
なお、分散型電源内切替装置１５ｃは第一接続状態とされる（連系状態）ともに、切替装置１６は第二接続状態に切り替えられている。よって、自立電力用電線１５ｇには電力供給（図２の矢印Ａ６で示す）はされていない。
【００２９】
次に系統電源１１が停電した場合について図３を参照して説明する。系統電源１１が停電すると、系統電源１１からの電力供給が停止する。系統電源１１からの電力供給が停止されている場合（図３の矢印Ａ１で示す）、エネルギー管理制御装置１４の動作が停止する。エネルギー管理制御装置１４は、制御入力を形成できないため、切替装置１６に対して制御入力を入力することができない。切替装置１６は、第一端子１６ａと第三端子１６ｃとを接続する第一接続状態に切り替えられる。よって、系統電源１１が停電した場合（系統電源１１が異常である場合）、系統電源１１からの供給電力は、図３の矢印Ａ２で示すように、主電線１３に供給されていない。
【００３０】
エネルギー管理制御装置１４は、系統電源１１からの電力が供給されておらず、エネルギー管理制御装置１４の動作が停止するため、分散型電源１５（制御装置１５ｄ）と互いに通信不能である。すなわち、制御装置１５ｄは、エネルギー管理制御装置１４の制御装置１４ａとの間の通信状態が異常である場合（図３の矢印Ａ４で示す）には、系統電源１１からの電力供給がないことを検出する。制御装置１５ｄは、分散型電源内切替装置１５ｃに対して解列指示を行う。分散型電源内切替装置１５ｃは、第二接続状態とされる（解列状態）。これにより、分散型電源１５は、系統電源１１と解列され、自立電力用電線１５ｇに接続される。その結果、分散型電源１５からの供給電力は、図３の矢印Ａ６およびＡ３で示すように、自立電力用電線１５ｇおよび主電線１３を介して外部負荷１２に供給されている。外部負荷１２に対する電力供給は、分散型電源１５からの自立発電電力のみが供給可能である（自立電力供給）。
【００３１】
また、制御装置１５ｄは、系統電源１１からの電力供給がないこと（例えば停電）を検出した時点に、系統電源１１が異常である（停電であった）旨を記憶装置（図示省略）に記憶する。なお、分散型電源内切替装置１５ｃは第二接続状態とされる（解列状態）ともに、切替装置１６は第一接続状態に切り替えられている。よって、連系電力用電線１５ｆには電力供給（図３の矢印Ａ５で示す）はされていない。
【００３２】
さらに系統電源１１が復電した場合について図４を参照して説明する。系統電源１１が正常であるため、系統電源１１からの供給電力は、図４の矢印Ａ１で示すように、主電線１３および第一接続用電線１４ｃを介してエネルギー管理制御装置１４に供給される。エネルギー管理制御装置１４は、系統電源１１からの電力が供給されている場合、エネルギー管理制御装置１４の動作が可能である。しかし、復電時点から所定時間経過する時点まで連系を阻止するため、エネルギー管理制御装置１４は、維持指示によって制御入力を形成せず、切替装置１６に対して制御入力を入力しない。切替装置１６は、第一端子１６ａと第三端子１６ｃとを接続する第一接続状態に切り替えられたままである。よって、系統電源１１が復電しても、系統電源１１からの供給電力は、図４の矢印Ａ２で示すように、主電線１３に供給されていない。
【００３３】
エネルギー管理制御装置１４は、系統電源１１からの電力が供給されており、エネルギー管理制御装置１４の動作が可能であるため、分散型電源１５（制御装置１５ｄ）と互いに通信可能である。すなわち、制御装置１５ｄは、エネルギー管理制御装置１４の制御装置１４ａとの間の通信状態が正常である場合（図４の矢印Ａ４で示す）には、系統電源１１からの電力供給があること（復電したこと）を検出する。しかし、復電時点から所定時間経過する時点まで連系を阻止するため、制御装置１５ｄは、分散型電源内切替装置１５ｃに対して解列指示を行う（解列指示を維持する）。分散型電源内切替装置１５ｃは、第二接続状態を維持する（解列状態）。これにより、分散型電源１５は、系統電源１１と解列され、自立電力用電線１５ｇに接続される（自立電力用電線１５ｇとの接続を維持する）。その結果、分散型電源１５からの供給電力は、図４の矢印Ａ６およびＡ３で示すように、自立電力用電線１５ｇおよび主電線１３を介して外部負荷１２に供給されている。外部負荷１２に対する電力供給は、分散型電源１５からの自立発電電力のみが供給可能である（自立電力供給）。
【００３４】
また、エネルギー管理制御装置１４は、制御装置１５ｄから、系統電源１１が異常であった（停電であった）旨を取得する。さらに、エネルギー管理制御装置１４は、系統電源１１の復電時に系統電源１１が異常であった（停電であった）旨を報知部１４ｄに報知する。これにより、系統電源１１が異常であった（停電であった）旨がユーザに報知される。また、エネルギー管理制御装置１４は、系統電源１１の復電時に、取得した停電・復電情報を外部負荷１２に送信する。外部負荷１２は、取得した停電・復電情報に基づいて停止していた動作を開始する。
なお、分散型電源内切替装置１５ｃは第二接続状態とされる（解列状態）ともに、切替装置１６は第一接続状態に切り替えられている。よって、連系電力用電線１５ｆには電力供給（図４の矢印Ａ５で示す）はされていない。
【００３５】
その後、復電時点から所定時間経過すると、エネルギー管理システム１０は、図２にて上述したように通常運転が行われる。
【００３６】
上述した説明から明らかなように、本実施形態に係るエネルギー管理システム１０は、系統電源１１と、系統電源１１に主電線１３を介して電気的に接続されている外部負荷１２と、電力を供給する電力供給装置１５ａを備え、電力供給装置１５ａからの電力を、系統電源１１と連系している連系状態で供給する連系電力供給と、系統電源１１と独立して供給する自立電力供給とのうちいずれかの方式で供給可能に構成されている１以上の分散型電源１５と、外部負荷１２および１以上の分散型電源１５と互いに通信可能に接続され、外部負荷１２および１以上の分散型電源１５のエネルギーを統括して管理するエネルギー管理制御装置１４と、を備えているエネルギー管理システム１０である。エネルギー管理制御装置１４は、エネルギー管理制御装置１４の電源電圧が系統電源１１のみから直接供給される構成となっており、系統電源１１からの電力が停止されている場合、エネルギー管理制御装置１４の動作が停止するとともに、系統電源１１からの電力が供給されている場合、分散型電源１５と互いに通信可能である。
【００３７】
これによれば、系統電源１１が異常（例えば停電）となった場合、系統電源１１からの電力が停止され、エネルギー管理制御装置１４の動作が停止する。よって、停電中においては、エネルギー管理制御装置１４の動作に必要な電力は不要となる。一方、系統電源１１が復電した場合、系統電源１１からの電力が供給されている場合、エネルギー管理制御装置１４の動作が回復し、分散型電源１５と互いに通信可能となる。したがって、エネルギー管理システム１０は、コスト高やエネルギー効率の悪化を招くことなく、停電に際して適切な運転を行うことができる。
【００３８】
また、エネルギー管理制御装置１４は、系統電源１１の復電時に、分散型電源１５から系統電源１１の停電および復電に関する停電・復電情報を取得し、取得した停電・復電情報を外部負荷１２に送信する。
これによれば、エネルギー管理制御装置１４は、系統電源１１の停電・復電に関する停電・復電情報に基づいて外部負荷１２を適切に制御することができる。
【００３９】
また、エネルギー管理制御装置１４は、系統電源１１の復電時に、分散型電源１５から系統電源１１の停電および復電に関する停電・復電情報を取得し、取得した停電・復電情報をユーザに報知する。
これによれば、エネルギー管理制御装置１４は、系統電源１１の停電・復電に関する停電・復電情報をユーザに確実に報知することができ、ユーザが外部負荷１２を適切に動作させることができる。
【００４０】
また、エネルギー管理システム１０は、主電線１３に設けられ、制御入力がない通常の場合、分散型電源１５と外部負荷１２とを直接接続する第一接続状態に切り替えられ、制御入力がある場合、系統電源１１と外部負荷１２とを接続する第二接続状態に切り替えられる切替装置１６であって、系統電源１１が異常である場合、制御入力はなく、系統電源１１が正常である場合、制御入力がある切替装置１６をさらに備えている。
これによれば、停電に伴って分散型電源１５が自立電力供給している場合であっても、切替装置１６は、分散型電源１５からの自立発電電力を、外部負荷１２のみに供給し、系統電源１１側に供給することを確実に抑制することができる。ひいては、エネルギー管理システム１０は、エネルギー管理制御装置１４に自立発電電力を供給することを確実に抑制することができる。よって、エネルギー管理制御装置１４の動作の停止が確実に維持される。
【００４１】
また、切替装置１６は、エネルギー管理制御装置１４からの切替指示によって形成された制御入力が入力される。
これによれば、復電した場合（および通常運転の場合）、回復したエネルギー管理制御装置１４からの切替指示によって、制御入力が確実に形成される。よって、切替装置１６は、系統電源１１と外部負荷１２とを接続する第二接続状態に確実に切り替えられる。
【符号の説明】
【００４２】
１０…エネルギー管理システム、１１…系統電源、１２…外部負荷、１３…主電線、１４…エネルギー管理制御装置、１５…分散型電源、１６…切替装置。
【図１】
0006390315.tif 000002
【図２】
0006390315.tif 000003
【図３】
0006390315.tif 000004
【図４】
0006390315.tif 000005